(57)【要約】【課題】スケルトン階段としての特性の確保と踏板上に埃等がたまることの抑制とを両立する。【解決手段】らせん階段２２には、支柱２４に複数の踏板２８が螺旋状に配置されており、支柱２４には、内部に中空部２４Ｂが形成されていると共に、各々の踏板２８の踏面に向けて開口された吹出し口４０が形成されている。また、支柱２４には、供給ダクト４８の一端が接続されており、室内機４６により生成された空調風が供給ダクト４８を介して支柱２４の中空部２４Ｂへ供給される。このため、吹出し口４０の各々から踏板２８の踏面上に空調風が吹き出されて、踏板２８の踏面上に空気の流れが形成される。これにより、らせん階段２２は、スケルトン階段としての特性の確保と踏板上に埃等がたまることの抑制とを両立できる。【選択図】図１
2019023390.tif 000002
【特許請求の範囲】
【請求項１】
建物高さ方向に所定の間隔をあけて配置された複数の踏板と、
内部が中空の筒状に形成され、複数の前記踏板間を開放した状態で支持する支持部と、
前記支持部に形成され、前記支持部の内部へ供給された空気が前記踏板の踏面上に向けて吹き出される吹出し部と、
を有する階段構造。
【請求項２】
前記支持部は、長手方向が建物高さ方向とされて設置され、周囲に配置された前記踏板の各々を支持する支柱である請求項１記載の階段構造。
【請求項３】
前記支持部は、階段幅方向の中間部又は階段幅方向の両端側に設けられて、前記踏板の各々を支持する桁部である請求項１記載の階段構造。
【請求項４】
請求項１から請求項３の何れか１項記載の階段構造を有する階段と、
前記支持部の中空の内部に空気を供給する送風手段と、
を含む建物。
【請求項５】
屋内を空調する空調風を生成する空調手段を含み、
前記送風手段が、前記空調手段によって生成された空調風を前記支持部に供給する請求項４記載の建物。
【発明の詳細な説明】
【技術分野】
【０００１】
本発明は、屋内に設置されて階下と階上との間を昇降可能に繋ぐ階段構造及び建物に関する。
【背景技術】
【０００２】
特許文献１に記載された屋内用階段には、複数枚の踏み板部が設けられ、踏み板部の間の各々に蹴込み板部が設けられている。踏み板部の上面側の蹴込み板部には、踏み板部の上面に送風する吹出口が設けられ、最下段の踏み板部の下側の蹴込み板部には、吸込口が形成されている。また、踏み板部及び蹴込み板部の下方には、吹出口のそれぞれに連通する連通空気経路が設けられ、連通空気経路の下方空間には、上部において送風装置を介して連通空気経路に連通された吸気経路が設けられ、吸気経路の下部に吸気装置が設けられると共に吸込口が形成されている。
【０００３】
これにより、特許文献１に記載された屋内用階段では、吸気装置により吸込口から吸気経路に吸い込んだ空気を、送風装置により連通空気経路に送風して吹出口の各々から屋内階段の踏み板部の踏み面に吹き出して、踏み板部の踏み面に埃等を溜まりにくくしている。
【先行技術文献】
【特許文献】
【０００４】
【特許文献１】特開２０１３−０９１８９７号公報
【発明の概要】
【発明が解決しようとする課題】
【０００５】
ところで、建物の屋内に設置される階段には、らせん（螺旋）階段や力桁（力げた）階段などがあり、らせん階段や力桁階段などは、スケルトン階段として多用されている。スケルトン階段は、蹴込み板を有しない所謂蹴り込み透かし階段とされており、スケルトン階段は、採光性や通風性の向上を図ることができ且つ高い開放感やデザイン性が得られるという特性を有している。
【０００６】
しかしながら、スケルトン階段は、蹴込み板が省かれている。このため、スケルトン階段の特性を確保するのと踏板に埃等が溜まるのを抑制するのとを両立するのが困難となっている。
【０００７】
本発明は上記事実に鑑みてなされたものであり、スケルトン階段としての特性の確保と踏板上に埃等が溜まることの抑制とを両立できる階段構造及び建物を提供することを目的とする。
【課題を解決するための手段】
【０００８】
本発明の第１の態様は、建物高さ方向に所定の間隔をあけて配置された複数の踏板と、内部が中空の筒状に形成され、複数の前記踏板間を開放した状態で支持する支持部と、前記支持部に形成され、前記支持部の内部へ供給された空気が前記踏板の踏面上に向けて吹き出される吹出し部と、を有している。
【０００９】
第１の態様では、建物高さ方向に所定の間隔をあけて配置された複数の踏板が、踏板間が開放された状態で支持部に支持されており、蹴込み板が設けられていないスケルトン階段が構成されている。また、支持部は、内部が中空にされた筒状とされており、支持部には、吹出し部が設けられている。
【００１０】
ここで、支持部の中空の内部に空気が供給されると、供給された空気が吹出し部から踏板の踏面上に向けて吹き出される。これにより、踏板の踏面上に落下する埃等を吹出し部から吹き出される空気よって踏板の周縁に流すことができて、踏板上に埃等が溜まるのを抑制できる。
【００１１】
第２の態様は、第１の態様において、前記支持部は、長手方向が建物高さ方向とされて設置され、周囲に配置された前記踏板の各々を支持する支柱である。
【００１２】
第２の態様では、支持部としての支柱を有し、支柱は、長手方向が建物高さ方向（上下方向）とされて設置され、支柱の周囲において支柱の長手方向周りに配置された複数の踏板の各々が支柱に支持されている。これにより、スケルトン階段としてのらせん階段が構成されており、支柱に形成された吹出し部からは、踏板の踏面上に空気が吹き出される。このため、踏板の踏面上に埃等が溜まるのを抑制できる。
【００１３】
第３の態様は、第１の態様において、前記支持部は、階段幅方向の中間部又は階段幅方向の両端部側に設けられて、前記踏板の各々を支持する桁部である。
【００１４】
第３の態様では、支持部として桁部が適用されている。第３の態様において桁部は、力桁階段における力桁、ささら桁階段におけるささら桁、及び側桁階段における側桁等の何れであってもよい。桁部は、複数の踏板を支持してスケルトン階段を構成している。また、桁部では、内部に空気が供給されることで、供給された空気が吹出し部から踏板の踏面上に吹き出される。これにより、踏板の踏面上に埃等が溜まるのを抑制できる。
【００１５】
第４の態様は、第１の態様から第３の態様の何れかの階段構造を有する階段と、前記支持部の中空の内部に空気を供給する送風手段と、を含む。
【００１６】
第４の態様では、複数の踏板が建物高さ方向に配置されると共に、互いの間が開放された状態で支持部に支持された階段（スケルトン階段）が設けられている。このために、階段の周囲の採光性や通風性の向上が図られると共に、高い開放感やデザイン性が得られる。
【００１７】
また、第４の態様では、送風手段が設けられており、送風手段が支持部の内部へ空気を供給する。送風手段は、屋内の空気を支持部へ供給する構成でもよく、屋外の空気を支持部へ供給する構成でもよい。これにより、支持部に供給された空気が、吹出し部から踏板の踏面上に向けて吹き出されるので、踏板の踏面上に埃等が溜まるのを抑制できる。
【００１８】
第５の態様は、第４の態様において、前記送風手段は、屋内を空調する空調風を生成する空調手段を含み、前記空調手段によって生成された空調風が前記支持部に供給される。
【００１９】
第５の態様では、送風手段として空調手段が設けられており、空調手段によって生成された空調風が、階段の支持部へ供給される。これにより、支持部の吹出し部から空調風が吹き出されて、踏板の踏面上に埃等が溜まるのを抑制できると共に、階段の周囲を空調できる。
【発明の効果】
【００２０】
以上説明したように本発明の第１の態様によれば、スケルトン階段としての特性の確保と踏板の踏面上に埃等が溜まることの抑制とを両立できる、という効果が得られる。
【００２１】
第２の態様によれば、支柱周りに複数の踏板が配置されたらせん階段において、スケルトン階段としての特性の確保と踏板上に埃等が溜まることの抑制とを両立できる。
【００２２】
第３の態様によれば、桁部が踏板間を開放した状態で複数の踏板を支持しているスケルトン階段において、スケルトン階段としての特性の確保と踏板上に埃等が溜まることの抑制とを両立できる。
【００２３】
第４の態様によれば、スケルトン階段として特性を確保できると共に、踏板の踏面上に埃等が溜まるのを抑制できる。
【００２４】
第５の態様によれば、踏板の踏面上に埃等の溜まるのを抑制できると共に、階段の周囲を空調できる、という効果が得られる。
【図面の簡単な説明】
【００２５】
【図１】第１の実施の形態に係る建物の主要部を示す立面図である。
【図２】らせん階段の主要部を示す支柱の断面図である。
【図３】らせん階段の主要部を示す平面図である。
【図４】第２の実施の形態に係る力桁階段の主要部を示す正面視の立面図である。
【図５】第２の実施の形態に係る力桁階段の主要部を示す側面視の立面図である。
【図６】第２の実施の形態に係る力桁階段の主要部の断面図である。
【発明を実施するための形態】
【００２６】
以下に、図面を参照して本発の実施の形態を詳細に説明する。
〔第１の実施の形態〕
図１には、第１の実施の形態に係る建物１０の主要部が立面図にて示されている。建物１０は、躯体が鉄骨軸組構造の２階建てとされており、建物１０内には、階下（１階）の居住空間１２Ａ及び階上（２階）の居住空間１２Ｂが形成されていると共に、居住空間１２Ａと居住空間１２Ｂとを繋ぐ吹抜け空間（吹抜け）１２Ｃが形成されている。
【００２７】
居住空間１２Ａ及び吹抜け空間１２Ｃには、１階の床梁に床下地（図示省略）が取り付けられており、床下地にフローリングなどの床材（床仕上げ材）が取り付けられて床１４が形成されている。２階の居住空間１２Ｂには、２階の床梁（１階の天井梁）１６に床下地が取付けられ、床下地にフローリングなどの床材（床仕上げ材）が取り付けられて床１８が形成されている。また、２階の床１８には、吹抜け空間１２Ｃ側の周縁部分の一部に手摺２０が形成されている。
【００２８】
建物１０には、第１の実施の形態に係る階段としてのらせん階段２２が設けられており、らせん階段２２は、吹抜け空間１２Ｃに設置されて、居住空間１２Ａ、１２Ｂ間を移動（昇降）可能に繋いでいる。図２には、らせん階段２２の主要部が側方視の断面図にて示され、図３には、らせん階段２２の主要部が平面図にて示されている。
【００２９】
図１に示すように、らせん階段２２は、支持部としての筒体状の支柱２４を備えている。支柱２４には、丸型鋼管が用いられており、支柱２４には、外周壁２４Ａによって囲われた中空部２４Ｂが形成されている。支柱２４には、長手方向の一端側にベースプレート２６が取り付けられており、支柱２４は、ベースプレート２６側において開口され（図示省略）、ベースプレート２６とは反対側の端部（長手方向の他端側の端部）において閉塞されている。
【００３０】
支柱２４は、ベースプレート２６が床１４側とされると共に、長手方向が上下方向（建物高さ方向、垂直方向）とされて、ベースプレート２６がボルト２６Ａ等によって床１４の床下地（又は床梁）に締結固定されている。これにより、支柱２４は、吹抜け空間１２Ｃ内において床１４から略垂直に立設されている。また、支柱２４の上端は、２階の床１８に設けられた手摺２０の上端と略同じ高さとされている。なお、支柱２４の上端は、手摺２０よりも高くてもよく、２階の天井に達していてもよい。
【００３１】
らせん階段２２には、支柱２４に複数段の踏板２８が設けられている。踏板２８は、上下方向（建物高さ方向）が所定（蹴上がり寸法）の間隔とされ、且つ上側に行くに従って支柱２４を中心に右回り（左回りでもよい）に所定角度ずつずらされた螺旋状とされて支柱２４の周囲に配置されている。
【００３２】
図３に示すように、踏板２８は、平面視略二等辺三角形状（略台形状）に形成されており、頂点側（上底側）が支柱２４側とされると共に、外周側とされる底辺側（下底側）が支柱２４を中心とした円弧状に形成されている。踏板２８の下側には、段フレーム３０が配置されている。段フレーム３０は、平面視外形が踏板２８と同様の略二等辺三角形状（略台形状）とされており、段フレーム３０の上部に踏板２８が取り付けられている。
【００３３】
図１及び図２に示すように、段フレーム３０の下側には、ステー３２が配置されており、ステー３２が段フレーム３０の下面に接合されている。段フレーム３０は、支柱２４の外周壁２４Ａに頂点側が接合されており、段フレーム３０の接合位置よりも下側においてステー３２が支柱２４の外周壁２４Ａに接合されている。これにより、らせん階段２２は、踏板２８が支柱２４に支持されると共に、上下に隣接する踏板２８の間（蹴込み）が開放された（蹴込み板が設けられていない）所謂スケルトン階段とされている（シースルー階段、蹴り込み透かし階段等とも言う）。
【００３４】
なお、図１に示すように、らせん階段２２には、螺旋状の手摺３４が設けられており、手摺３４は、軸心が支柱２４の軸心に同軸とされて、支柱２４の軸周りに配置されている。手摺３４には、踏板２８の各々において支柱２４とは反対側の周縁部分に立設された複数の手摺子３４Ａの上端部が接続されており、手摺３４は、手摺子３４Ａを介して支柱２４に固定されている。
【００３５】
また、最上段の踏板２８と２階の床１８との間には、踊り場３６が設けられており、踊り場３６は、矩形状の踏板３６Ａが矩形状のフレーム３６Ｂ上に取り付けられている。踊り場３６のフレーム３６Ｂは、支柱２４及び２階の床梁１６に連結されることで、踊り場３６が支柱２４と２階の床梁に支持されて、らせん階段２２の支柱２４がフレーム３６Ｂを介して２階の床梁１６に連結される。また、踊り場３６には、手摺３８が設けられており、手摺３８は、一端が支柱２４に連結され、下側にフレーム３６Ｂから立設された複数の手摺子３８Ａの上端部が連結されて支持されている。
【００３６】
一方、図１から図３に示すように、支柱２４には、吹出し部としての複数の吹出し口４０が形成されている。吹出し口４０は、上下方向（支柱２４の長さ方向）に長い長孔（スリット）とされており（図１及び図２参照）、吹出し口４０は、上下に隣接する踏板２８の間において下側の踏板２８に対向されて支柱２４の外周壁２４Ａに貫通形成されている。また、図３に示すように、吹出し口４０は、支柱２４の径方向外側に向かうに従って開口幅が広げられている。これにより、支柱２４の中空部２４Ｂ内と各踏板２８の踏面の上側との間が吹出し口４０により連通され、支柱２４の中空部２４Ｂが吹出し口４０により踏板２８の踏面の略全面に向けて開放されている。
【００３７】
らせん階段２２では、支柱２４の中空部２４Ｂに空気が供給されて、中空部２４Ｂの空気圧が外周壁２４Ａの周囲（踏板２８の踏面上）よりも高くなることで、支柱２４の中空部２４Ｂの空気が吹出し口４０の各々から吹き出される。これにより、らせん階段２２では、踏板２８の踏面上に支柱２４側から踏板２８の支柱２４とは反対側周縁に向けられた空気の流れ（空気流）が形成される。
【００３８】
建物１０には、全館空調システムが形成されている。図１に示すように、建物１０の１階部分には、全館空調システムにおける空調手段としての空調設備４２が設けられており、空調設備４２は、主に居住空間１２Ａ（階下）の空調を担っている。なお、全館空調システムは、空調設備４２とは別に居住空間１２Ｂの空調を担う空調設備を備えてもよく、空調設備４２が居住空間１２Ｂの空調を担う構成であってもよい。
【００３９】
空調設備４２は、室外機（図示省略）及び送風手段としての室内機４６を備えており、室外機が建物１０の屋外に設置され、室内機４６が居住空間１２Ａに設けられた機械室などの予め定められた場所に設置されている。空調設備４２は、室外機と室内機４６との間が図示しない冷媒管路によって接続され、冷媒管路を介して空調用の冷媒が循環される。
【００４０】
また、空調設備４２は、建物１０内において居住空間１２Ａ内に開口された複数の吹出し口及び複数の吸込み口（何れも図示省略）を備えている。複数の吹出し口は、供給ダクト等の供給経路を介して室内機４６に接続され、複数の吸込み口は、吸込みダクト等の吸込み経路を介して室内機４６に接続されている。室内機４６は、吸込み口から吸込まれる空気と冷媒との間で熱交換を行うことで空調風を生成し、生成した空調風を吹出し口から吹き出して居住空間１２Ａ内を空調する。なお、室内機４６は、屋外の空気を吸込んで、吸込んだ屋外の空気を含めて空調風を生成することで、居住空間１２Ａの空調及び換気を行うものであってもよい。
【００４１】
１階（居住空間１２Ａ）の床下には、供給経路の一つとしての供給ダクト４８が配索されており、供給ダクト４８の一端側が室内機４６に接続されている。また、供給ダクト４８の他端側（室内機４６とは反対側）は、ベースプレート２６の下側において床１４を貫通されて支柱２４に接続され、支柱２４の中空部２４Ｂに開口されている。これにより、支柱２４の中空部２４Ｂには、室内機４６により生成された空調風（空調された空気）が供給される。
【００４２】
次に、第１の実施の形態の作用を説明する。
建物１０には、吹抜け空間１２Ｃにらせん階段２２が設置されており、らせん階段２２は、建物高さ方向に隣接する踏板２８の間が開放されたスケルトン階段とされている。このため、建物１０は、吹抜け空間１２Ｃの通気性、及び採光性が高くされている共に、居住空間１２Ａ、１２Ｂの間の通気性が高くされている。また、建物１０は、吹抜け空間１２Ｃに設置されたらせん階段２２により屋内のデザイン性が向上されている。
【００４３】
らせん階段２２の支柱２４には、外周壁２４Ａに複数の吹出し口４０が形成されており、吹出し口４０により支柱２４の中空部２４Ｂが踏板２８の踏面（支柱２４の径方向外側）に向けて開かされている。また、支柱２４の下端部には、空調設備４２の供給ダクト４８が接続されている。
【００４４】
このため、空調設備４２が作動すると、室内機４６から支柱２４の中空部２４Ｂに空調風が供給され、中空部２４Ｂに供給された空調風が吹出し口４０の各々から吹き出される。これにより、らせん階段２２の設置されている吹抜け空間１２Ｃが空調される。しかも、吹出し口４０が最上段の踏板２８の上側にまで設けられているので、吹抜け空間１２Ｃが広範囲に空調でき、吹抜け空間１２Ｃにおいて上部側と下部側とに温度差（空調状態の差）が生じるのを抑制できる。
【００４５】
ここで、支柱２４の吹出し口４０は、踏板２８の踏面上に向けられており、吹出し口４０から吹き出される空調風は、踏板２８の踏面上を流れる。このため、吹出し口４０から吹き出される空調風が、踏板２８の踏面上において支柱２４側から踏板２８の周縁側（支柱２４の径方向外側）に流れる空気流を形成して、踏板２８の踏面上に落下する埃等を踏板２８の踏面上から流し落とす。
【００４６】
これにより、らせん階段２２では、吹抜け空間１２Ｃの空気中の埃等が踏板２８の踏面上に溜まるのを抑制できる。従って、らせん階段２２は、スケルトン階段としての特性を確保できると共に、踏板２８の踏面上に埃等が溜まるのを抑制できる。しかも、吹出し口４０から吹き出される空調風が踏板２８の踏面上を流れるので、踏板２８の踏面上に載っている埃等を踏板２８の踏面上から除去することもできる。
【００４７】
なお、第１の実施の形態では、支持部材として支柱２４を丸型鋼管製としたが、支持部材は、所定の長さの円筒形状の複数の短管（例えば、図２に示す踏板２８の１段分の長さの短管）を軸線方向に重ね合わせて形成されてもよい。この場合、支持部材（支柱）を形成する短管の各々に、１段又は複数段の踏板２８を設けると共に、外周壁に吹出し口４０が形成されればよい。
【００４８】
また、らせん階段等の回り階段において、支持部材は、内部が中空の筒体状であればよく、円筒状に限らず、外形が多角形の筒状に形成されてもよい。
【００４９】
また、第１の実施の形態では、供給ダクト４８を１階の床下に配索して、床下側から支柱２４の中空部２４Ｂに空調風を供給した。しかしながら、支柱２４の高さを、上端が２階の天井に達する高さとして、２階の天井側から支柱２４の中空部２４Ｂに空調風を供給するようにしてもよい。この場合、２階の居住空間１２Ｂの空調を担う空調設備から支柱２４に空調風を供給する構成としてもよい。
【００５０】
〔第２の実施の形態〕
次に、図４から図６を参照しながら本発明の第２の実施の形態を説明する。なお、第２の実施の形態において、第１の実施の形態と同様の機能部品については、第１の実施の形態と同じ符号を付与してその詳細な説明を省略する。
【００５１】
第２の実施の形態では、第１の実施の形態のらせん階段２２に代えて力桁（力げた）階段５０を適用している。図４には、力桁階段５０の概略構成が正面視の立面図にて示され、図５には、力桁階段５０の概略構成が側方視の立面図にして示され、図６には、力桁階段５０の主要部が、上下方向に切断した断面図にて示されている。
【００５２】
図４及び図５に示すように、階段としての力桁階段５０には、支持部及び桁部としての鋼材製の力桁５２を備えており、力桁５２は、１階の床１４と２階の床１８（床梁１６）の間に傾斜されて架け渡されている。
【００５３】
図４に示すように、力桁５２には、階段幅方向の両側に配置された一対の側板部５４が設けられており、側板部５４は、剛性の高い鋼板製とされて、力桁５２の骨格を形成している。また、図５に示すように、力桁５２には、側板部５４の間の階段裏側を覆う裏板部５６、側板部５４の間の上端部を覆う上板部５８、側板部５４の間の下端部を覆う下板部６０（図４参照）、及び側板部５４の間の階段前側を覆う前板部６２が設けられている。これにより、力桁５２は、一対の側板部５４、裏板部５６、上板部５８、下板部６０、及び前板部６２により内部に中空部５２Ａが設けられた略筒体状に形成されている。
【００５４】
また、図４及び図５に示すように、力桁階段５０には、複数の踏板６４が設けられており、踏板６４は、矩形帯板状に形成されている。図５及び図６に示すように、力桁５２には、階段前側に複数の切欠き部６６が形成されている。切欠き部６６は、上下方向の間隔が力桁階段５０における蹴上がり寸法とされて、力桁５２の側板部５４及び前板部６２に跨って形成されている。また、切欠き部６６は、力桁５２において床１４に対して略平行とされて階段幅方向に沿う溝状に切欠かれて形成されている。
【００５５】
踏板６４は、幅方向の一端部が切欠き部６６に嵌め込まれて力桁５２に取り付けられている。これにより、力桁５２には、上下に隣接する踏板６４の間隔が蹴上がり寸法とされて、複数の踏板６４が固定されている。また、図６に示すように、力桁５２の中空部５２Ａ内には、踏板６４の幅方向端部が突出されている。なお、踏板６４は、下面に図示しないブラケットが取り付けられ、踏板６４は、切欠き部６６に嵌め込まれると共に、ブラケットが力桁５２の階段幅方向の外側面（側板部５４）に固定されて、力桁５２に取り付けられている。また、踏板６４は、力桁５２に切欠き部６６を設けず、踏板６４の下面に取り付けられたブラケットが、前板部６２（側板部５４）に固定されて力桁５２に取り付けられてもよい。
【００５６】
図４及び図５に示すように、力桁５２は、階段幅方向外側において側板部５４の各々の下端部にブラケット６８が取り付けられており、このブラケット６８がボルト等によって床１４の床下地（又は床梁）に締結固定されている。また、力桁５２には、側板部５４の上端部に図示しないブラケットが取り付けられて、該ブラケットがボルト等によって２階の床梁１６に締結固定されている。
【００５７】
図４に示すように、力桁階段５０は、階段幅方向の一側が吹抜け空間１２Ｃの壁面１２Ｄに近接されており、踏板６４の各々は、長手方向（階段幅方向）の一端側が壁面１２Ｄの直近に配置されている。また、図４及び図５に示すように、力桁階段５０には、階段幅方向の他端側（壁面１２Ｄとは反対側）に手摺７０が設けられており、手摺７０は、踏板６４の長手方向の他端側（壁面１２Ｄとは反対側）に立設された複数の手摺子７０Ａ（図５参照、図４では図示省略）の上端部が連結されて踏板６４に取り付けられている。
【００５８】
一方、図４及び図６に示すように、力桁５２には、吹出し部としての複数の吹出し口７２が設けられている。吹出し口７２は、踏板６４の間かつ側板部５４の間において下側の踏板６４の踏面上に向けて貫通形成されており、吹出し口７２は、長手方向が踏板６４の踏面に対して略平行な長孔とされている（図４参照）。これにより、力桁５２の中空部５２Ａと各踏板６４の踏面上との間が吹出し口７２により連通されて、力桁５２の中空部５２Ａが吹出し口７２により踏板６４の踏面上に向けて開かれている。なお、吹出し口７２は、上端内面及び下端内面が踏板６４に向けて傾斜（踏板６４側が下側となるように傾斜）されていてもよく好ましい。
【００５９】
力桁階段５０では、力桁５２の中空部５２Ａ内に空気が供給されて、中空部５２Ａ内の空気圧が力桁５２の周囲（吹出し口７２の踏板６４側）よりも高くなることで、中空部５２Ａ内の空気が吹出し口７２から吹き出される。これにより、踏板６４の踏面上には、吹出し口７２から吹き出された空調風により空気流が形成される。
【００６０】
また、図５に示すように、１階の床下（床１４の下側）には、供給ダクト４８が配索されており、供給ダクト４８が床１４を貫通して力桁５２の下板部６０に接続されて、中空部５２Ａ内に開口されている。これにより、力桁５２の中空部５２Ａには、室内機４６から空調風が供給される。
【００６１】
このように構成されている力桁階段５０は、上下に隣接する踏板６４の間が開放されたスケルトン階段とされている。このため、力桁階段５０が設置された吹抜け空間１２Ｃは、蹴込み板を有している階段が設けられている場合に比べて、通気性及び採光性が高くされている共に、居住空間１２Ａ、１２Ｂの間の通気性が高くされている。また、吹抜け空間１２Ｃに設置されたら力桁階段５０により、居住空間１２Ａ、１２Ｂ及び吹抜け空間１２Ｃのデザイン性が向上されている。
【００６２】
力桁階段５０の力桁５２には、中空部５２Ａが形成されている共に、前板部６２に吹出し口７２が形成されており、中空部５２Ａに供給ダクト４８が接続されている。このため、空調設備４２が作動して、室内機４６から力桁５２の中空部５２Ａに空調風が供給されると、供給された空調風が吹出し口７２の各々から踏板６４の踏面上に吹き出される。これにより、力桁階段５０が設けられた吹抜け空間１２Ｃが空調される。しかも、力桁５２において吹出し口７２は、最上段の踏板６４の上側にまで設けられているので、吹抜け空間１２Ｃが広範囲に空調でき、吹抜け空間１２Ｃにおいて上部側と下部側とに温度差（空調状態の差）が生じるのを抑制できる。
【００６３】
また、吹出し口７２から吹き出される空調風は、踏板６４の踏面上に空気の流れ（空気流）を形成する。このため、吹抜け空間１２Ｃ内において踏板６４の踏面上に落下する埃等が、空調風により形成される踏板６４の踏面上の空気流により踏板６４の周縁側に流される。これにより、力桁階段５０では、踏板６４の踏面上に空気中の埃等が溜まるのを抑制できる。しかも、吹出し口７２から吹き出される空調風が、踏板６４の踏面上を流れるので、踏板６４の踏面上に載っている埃等を踏板６４の踏面上から除去できる。
【００６４】
なお、傾斜した力桁５２の中空部５２Ａ内において、下側から空調風が供給され、この空調風が直接吹出し口７２に達すると、吹出し口７２から上側の踏板６４下面に向けて空調風が流れ出す可能性が高い。これに対して、力桁５２の中空部５２Ａ内には、踏板６４の端部が突出され、空調風が直接吹出し口７２へ向かうのを踏板６４の端部により遮ると共に、踏板６４の端部に沿った空調風の流れを形成可能にしている。このため、力桁５２では、吹出し口７２から上側の踏板６４下面に向けた空調風の流れを抑制でき、下側の踏板６４の踏面上に向けた空調風の流れを形成可能にしている。
【００６５】
従って、力桁階段５０では、スケルトン階段としての特性が確保されると共に、踏板６４の踏面上に埃等が溜まるのを抑制できる。
【００６６】
なお、第２の実施の形態では、支持部及び桁部として１本の力桁５２を用いた力桁階段５０を例に説明した。しかしながら、スケルトン階段は、２本の力桁５２が用いられておりもよい。また、上下に隣接する踏板の間に蹴込み板を有していないスケルトン階段は、支持部及び桁部としてささら桁を用いたささら桁階段であってもよく、側桁を用いた側桁階段であってもよい。何れの階段においても、中空部を有する支持部及び桁部（ささら桁や側桁）を用い、中空部と踏板の踏面上側とを連通する吹出し部が形成された構成であればよい。
【００６７】
また、以上説明した第１及び第２の実施の形態では、送風手段及び空調手段としての空調設備４２の室内機４６を用い、室内機４６から供給ダクト４８を介して空調風が供給されるように構成した。しかしながら、送風手段は、送風ファン等を用いて、建物内の空気を吸い込んで支持部材の中空部に供給してもよい。また、送風手段は、屋外の空気を吸い込んで支持部材の中空内部に供給する換気手段を適用して、吹抜け空間１２Ｃ、及び吹抜け空間１２Ｃに連通された居住空間１２Ａ、１２Ｂの各々を換気しながら踏板の踏面上に埃等が溜まるのを抑制してもよい。
【００６８】
また、第１及び第２の実施の形態では、２階建ての建物１０を例に説明した。しかしながら、建物１０は、３階建て以上であってもよく、地下室を備えていてもよく、更に、屋上を備えていてもよい。第１及び第２の実施の形態に係る階段構造は、地下室から屋上までの間の何れかにおいて、階上と階下とを昇降可能に連結する階段に適用できる。
【００６９】
さらに、建物１０は、鉄骨軸組構造に限らず、各々が鉄骨によって枠組みされた複数の建物用ユニットを縦横に配列して鉄骨ラーメン構造の躯体が形成されたユニット式の建物（ユニット住宅）であってもよく、鉄骨軸組構造及び鉄骨ラーメン構造以外の構造であってもよい。
【符号の説明】
【００７０】
１０    建物
１２Ａ、１２Ｂ    居住空間
１２Ｃ    吹抜け空間
２２    らせん階段（階段）
２４    支柱（支持部）
２４Ｂ、５２Ａ    中空部
２８、６４    踏板
４０、７２    吹出し口（吹出し部）
４６    室内機（送風手段、空調手段）
４８    供給ダクト（送風手段、空調手段）
５０    力桁階段（階段）
５２    力桁（支持部、桁部）
５４    側板部
【図１】
2019023390.tif 000003
【図２】
2019023390.tif 000004
【図３】
2019023390.tif 000005
【図４】
2019023390.tif 000006
【図５】
2019023390.tif 000007
【図６】
2019023390.tif 000008